(57)【要約】【課題】読取部による原稿の読み取りタイミングを正確に補正できる画像読取装置及び読み取りタイミング補正方法を提供する。【解決手段】テスト画像が付与されたテスト原稿を自動原稿送り装置３７に取り込ませて、読取ユニット３１に読み取らせる。読取ユニット３１から与えられたテスト原稿の画像データ中におけるテスト画像の位置の想定された位置からの副走査方向に対するずれ量を検出する。そして、その検出したずれ量に基づいてＳＲＡＭに記憶されたタイミング情報を補正する。【選択図】図２
2009111577.tif 000002
【特許請求の範囲】
【請求項１】
所定の搬送路に沿って原稿を搬送する搬送機構と、
原稿の先端が前記搬送路上における基準位置を通過したことを検出する検出部と、
前記搬送路上における前記基準位置よりも前記搬送方向の下流側にて、前記原稿の画像を読み取る読取部と、
読み取りタイミングを決定するためのタイミング情報を記憶する記憶部と、
与えられた第１の指示に応じ、前記搬送機構に前記原稿を搬送させるとともに、前記検出部が前記原稿の前記先端の前記基準位置の通過を検出してから前記タイミング情報により特定される時間が経過した後、前記読取部に前記原稿の画像の読み取りを開始させる第１の制御部と、
与えられた第２の指示に応じ、前記搬送機構にテスト画像が付与されたテスト原稿を搬送させるとともに、前記検出部が前記テスト原稿の前記先端の前記基準位置の通過を検出してから前記タイミング情報により特定される時間が経過した後、前記読取部に前記原稿の画像の読み取りを開始させ、前記読取部から与えられた前記テスト原稿の画像データ中におけるテスト画像の位置の想定された位置からの副走査方向に対するずれ量を検出し、そのずれ量に基づいて前記記憶部に記憶された前記タイミング情報を補正する第２の制御部と、を備えることを特徴とする画像読取装置。
【請求項２】
請求項１に記載の画像読取装置において、
前記第２の制御部は、
前記テスト原稿の前記画像データ中における前記テスト画像の位置が前記想定された位置から前記副走査方向の終端側にずれている場合には、前記ずれ量に応じた時間分だけ前記読取部の読み取りタイミングが遅くなるように前記タイミング情報を補正する一方、
前記テスト原稿の前記画像データ中における前記テスト画像の位置が前記想定された位置から前記副走査方向の起端側にずれている場合には、前記ずれ量に応じた時間分だけ前記読取部の読み取りタイミングが早くなるように前記タイミング情報を補正することを特徴とする画像読取装置。
【請求項３】
請求項１又は請求項２に記載の画像読取装置において、
前記テスト原稿に付与された前記テスト画像は、前記テスト原稿の先端側の部分が、前記先端から後端側に所定の幅で着色された画像であり、
前記第２の制御部は、
前記テスト原稿の前記画像データ中における前記テスト画像の先端が、前記画像データの先端から後端側にずれている場合には、そのずれ量に応じた時間分だけ前記読取部の読み取りタイミングが遅くなるように前記タイミング情報を補正することを特徴とする画像読取装置。
【請求項４】
請求項１又は請求項２に記載の画像読取装置において、
前記テスト原稿に付与された前記テスト画像は、前記テスト原稿の先端側の部分が、前記先端から後端側に所定の幅で着色された画像であり、
前記第２の制御部は、
前記テスト原稿の前記画像データ中における前記テスト画像の副走査方向の幅を検出し、その検出した幅が想定された値よりも小さい場合には、その検出した幅の前記想定された値に対して不足している不足分に対応した時間分だけ、前記読取部の読み取りタイミングが早くなるように前記タイミング情報を補正することを特徴とする画像読取装置。
【請求項５】
搬送路に沿って搬送される原稿の先端が前記搬送路上における基準位置を通過したことを検出部で検出することにより、読取部による原稿の読み取りタイミングを決定する画像読取装置の読み取りタイミング補正方法であって、
テスト画像が付与されたテスト原稿を前記搬送路に導入して前記読取部に読み取らせ、前記読取部から与えられた前記テスト原稿の画像データ中におけるテスト画像の位置の想定された位置からの副走査方向に対するずれ量を検出し、そのずれ量に基づいて前記読み取りタイミングを補正することを特徴とする読み取りタイミング補正方法。
【請求項６】
請求項５に記載の読み取りタイミング補正方法において、
前記テスト原稿の前記画像データ中における前記テスト画像の位置が前記想定された位置から前記副走査方向の終端側にずれている場合には、前記ずれ量に応じた時間分だけ前記読み取りタイミングを遅くする一方、
前記テスト原稿の前記画像データ中における前記テスト画像の位置が前記想定された位置から前記副走査方向の起端側にずれている場合には、前記ずれ量に応じた時間分だけ前記読み取りタイミングを早くすることを特徴とする読み取りタイミング補正方法。
【発明の詳細な説明】
【技術分野】
【０００１】
本発明は、画像読取装置及び読み取りタイミング補正方法に関する。
【背景技術】
【０００２】
従来より、読取部による原稿の読み取り開始のタイミング（読み取りタイミング）を決定するために、センサ（検出部）により搬送路内を搬送される原稿の搬送方向の先端を検出している。そのセンサには、フィラー（レバー）式のもの（特許文献１）、反射型の光電センサ（特許文献２）が用いられている。
【０００３】
読取部の読み取りタイミングのずれは、原稿に対する読み取り範囲のずれ等を招く。
【特許文献１】特開平３−５１２４５号公報
【特許文献２】特開２００２−１３５５３７号公報
【発明の開示】
【発明が解決しようとする課題】
【０００４】
しかしながら、読取部による読み取りタイミングは、種々の要因によりずれる場合がある。例えば、原稿の先端を検出するセンサの設置位置のずれ、及びそのセンサの特性のバラツキなどの影響により、さらに読み取り速度の高速化により、検出される原稿の先端の位置にバラツキが大きくなる場合があり、これが読み取りタイミングのずれの原因になる場合がある。
【０００５】
ここで、フィラー式センサでは、フィラーのチャタリング（バウンス）があり、チャタリングが収束してからセンサがオン又はオフになったことを判定するため、判定に時間がかかるという欠点がある。
【０００６】
また、反射型光電センサでは、発光素子の取り付け精度による指向性のバラツキ、及び受光素子の感度のバラツキなどにより、原稿の先端の検出にバラツキが生じやすい欠点がある。
【０００７】
そこで、本発明の解決すべき課題は、読取部による原稿の読み取りタイミングを正確に補正できる画像読取装置及び読み取りタイミング補正方法の提供である。
【課題を解決するための手段】
【０００８】
上記の課題を解決するため、本発明に係る画像読取装置では、所定の搬送路に沿って原稿を搬送する搬送機構と、原稿の先端が前記搬送路上における基準位置を通過したことを検出する検出部と、前記搬送路上における前記基準位置よりも前記搬送方向の下流側にて、前記原稿の画像を読み取る読取部と、読み取りタイミングを決定するためのタイミング情報を記憶する記憶部と、与えられた第１の指示に応じ、前記搬送機構に前記原稿を搬送させるとともに、前記検出部が前記原稿の前記先端の前記基準位置の通過を検出してから前記タイミング情報により特定される時間が経過した後、前記読取部に前記原稿の画像の読み取りを開始させる第１の制御部と、与えられた第２の指示に応じ、前記搬送機構にテスト画像が付与されたテスト原稿を搬送させるとともに、前記検出部が前記テスト原稿の前記先端の前記基準位置の通過を検出してから前記タイミング情報により特定される時間が経過した後、前記読取部に前記原稿の画像の読み取りを開始させ、前記読取部から与えられた前記テスト原稿の画像データ中におけるテスト画像の位置の想定された位置からの副走査方向に対するずれ量を検出し、そのずれ量に基づいて前記記憶部に記憶された前記タイミング情報を補正する第２の制御部とを備える。
【０００９】
また、本発明に係る画像読取装置において、前記第２の制御部は、前記テスト原稿の前記画像データ中における前記テスト画像の位置が前記想定された位置から前記副走査方向の終端側にずれている場合には、前記ずれ量に応じた時間分だけ前記読取部の読み取りタイミングが遅くなるように前記タイミング情報を補正する一方、前記テスト原稿の前記画像データ中における前記テスト画像の位置が前記想定された位置から前記副走査方向の起端側にずれている場合には、前記ずれ量に応じた時間分だけ前記読取部の読み取りタイミングが早くなるように前記タイミング情報を補正する。
【００１０】
また、本発明に係る画像読取装置において、前記テスト原稿に付与された前記テスト画像は、前記テスト原稿の先端側の部分が、前記先端から後端側に所定の幅で着色された画像であり、前記第２の制御部は、前記テスト原稿の前記画像データ中における前記テスト画像の先端が、前記画像データの先端から後端側にずれている場合には、そのずれ量に応じた時間分だけ前記読取部の読み取りタイミングが遅くなるように前記タイミング情報を補正する。
【００１１】
また、本発明に係る画像読取装置において、前記テスト原稿に付与された前記テスト画像は、前記テスト原稿の先端側の部分が、前記先端から後端側に所定の幅で着色された画像であり、前記第２の制御部は、前記テスト原稿の前記画像データ中における前記テスト画像の副走査方向の幅を検出し、その検出した幅が想定された値よりも小さい場合には、その検出した幅の前記想定された値に対して不足している不足分に対応した時間分だけ、前記読取部の読み取りタイミングが早くなるように前記タイミング情報を補正する。
【００１２】
また、本発明に係る読み取りタイミング補正方法では、搬送路に沿って搬送される原稿の先端が前記搬送路上における基準位置を通過したことを検出部で検出することにより、読取部による原稿の読み取りタイミングを決定する画像読取装置の読み取りタイミング補正方法であって、テスト画像が付与されたテスト原稿を前記搬送路に導入して前記読取部に読み取らせ、前記読取部から与えられた前記テスト原稿の画像データ中におけるテスト画像の位置の想定された位置からの副走査方向に対するずれ量を検出し、そのずれ量に基づいて前記読み取りタイミングを補正する。
【００１３】
また、本発明に係る読み取りタイミング補正方法において、前記テスト原稿の前記画像データ中における前記テスト画像の位置が前記想定された位置から前記副走査方向の終端側にずれている場合には、前記ずれ量に応じた時間分だけ前記読み取りタイミングを遅くする一方、前記テスト原稿の前記画像データ中における前記テスト画像の位置が前記想定された位置から前記副走査方向の起端側にずれている場合には、前記ずれ量に応じた時間分だけ前記読み取りタイミングを早くする。
【発明の効果】
【００１４】
本発明によれば、読取部から与えられたテスト原稿の画像データ中におけるテスト画像の位置の想定された位置からの副走査方向に対するずれ量を検出し、そのずれ量に基づいて記憶部に記憶されたタイミング情報を補正する。それ故、読取部による原稿の読み取りタイミングを正確に補正でき、原稿に対して正確に読み取り範囲を設定できる。
【００１５】
また、画像読取装置に対して第２の指示を与えることにより、読み取りタイミングの補正が自動的に行われるため、補正を容易に行える。
【発明を実施するための最良の形態】
【００１６】
図１は、本発明の一実施形態に係る画像読取装置としてのファクシミリ複合装置（以下、単に「複合装置」という）のブロック図である。この複合装置１は、図１に示すように、ＭＰＵ（Micro Processing Unit）１１、ＮＣＵ（Network Control Unit）１２、モデム（MODEM）１３、ＣＣＤ（Charge Coupled Device）１４、読取画像処理回路１５、読取機構制御回路１６、操作パネル１７、ＲＯＭ（Read Only Memory）１８、記憶部としてのＳＲＡＭ（Static Random Access Memory）１９、画像メモリ２０、ＣＯＤＥＣ（符号化復号器）２１、プリント画像処理回路２２、プリンタ２３、及び、ＬＡＮ（Local Area Network）インターフェース２４を備えている。この複合装置１に備えられる機能には、プリンタ機能、ファクシミリ機能、インターネットファクシミリ機能、コピー機能、及びスキャナ機能等が含まれる。
【００１７】
ＭＰＵ１１は、この複合装置１１の制御を統括するものであり、ソフトウェアにより動作する。このＭＰＵ１１の機能要素としては、第１の制御部１１ａ及び第２の制御部１１ｂが備えられる。これらの機能要素の役割等については後に詳述する。
【００１８】
ＮＣＵ１２は、アナログの公衆電話回線網（ＰＳＴＮ）との回線の接続等を行うハードウェアであり、必要に応じてモデム１３を公衆電話回線網と接続する。モデム１３は、ファクシミリ通信が可能なファクシミリモデムから構成されている。
【００１９】
ＣＣＤ１４は、原稿の画像を読み取る素子であり、図２に示す読取部としての読取ユニット３１に備えられる。読取ユニット３１は、図２に示すように、フラットベットスキャナ３２内に備えられている。
【００２０】
このような読取ユニット３１は、プラテンガラス３６上に載せられた原稿の画像を読み取るときは、移動機構４１により原稿の副走査方向に移動されつつ原稿の画像を読み取る。フラットベットスキャナ３２の上側には、図２に示すように、自動原稿送り装置３７が備えられる。
【００２１】
自動原稿送り装置３７には、原稿トレイ４１上に載置された原稿を搬送路４２内に導入し、搬送路４２に沿って搬送した後、排出トレイ４３上に排出するための複数のローラを備えた搬送機構４４が備えられている。原稿の画像は、原稿が搬送路４２内の所定の読取位置４５を通過するときに、読取ユニット３１のＣＣＤ１４によって読み取られる。
【００２２】
この自動原稿送り装置３７に関連して、搬送路４２内における原稿の通過タイミングを検出するためのセンサ（検出部）４６が備えられている。このセンサ４６は、搬送路４２内における読取位置４５の搬送方向の上流側に設けられた基準位置４７を原稿が通過するのを検出する。そして、このセンサ４６の検出結果に基づいて、読取ユニット３１による原稿の読み取りを開始するタイミング（読み取りタイミング）が決定される。
【００２３】
センサ４６は、ＬＥＤ（Light Emitting Diode）等の発光素子とホトトランジスタ等の受光素子とを備えた反射型光電センサが用いられる。そして、センサ４６は、図３に示すように、搬送路４２に向けて光５１を放射し、その光５１の原稿５２による反射光５３を検出することにより、搬送路４２上における原稿５２の搬送方向５４の先端５５の基準位置４７の通過を検出する。センサ４６の検出信号は、ＭＰＵ１１に直接入力されてもよいし、あるいは、読取機構制御回路１６等に入力し、読取機構制御回路１６等が読み取りタイミングを決定してもよい。
【００２４】
読取画像処理回路１５は、ＣＣＤ１４から与えられた画像データに対して画像処理を施す。読取機構制御回路１６は、フラットベットスキャナ３２及び自動原稿送り装置３７等をＭＰＵ１１の指示に基づいて制御する。
【００２５】
操作パネル１７は、複合装置１の操作のために用いられるものであり、キーボード、液晶表示部等を備える。この操作パネル１７には、原稿の読み取り等を指示するためのスタートキー、及び、後述する読み取りタイミングの補正を行う補正モードを呼び出すためのキーなどが備えられる。
【００２６】
ＲＯＭ１８には、ＭＰＵ１１に読み込まれる各種ソフトウェア及び設定データ等が保存されている。ＳＲＡＭ１９には、読取ユニット３１による読み取りタイミングを決定するためのタイミング情報等が記憶されている。
【００２７】
画像メモリ２０は、ファクシミリで送信及び受信される画像データ、ＣＣＤ１４によって読み取られた画像データ等が保存される。ＣＯＤＥＣ２１は、ファクシミリで送信及び受信される画像データのエンコード及びデコード等に用いられる。
【００２８】
プリント画像処理回路２２は、後述するプリンタ２３で印刷される印刷データに対して各種の画像処理を施す。プリンタ２３は、ＣＣＤ１４により原稿から読み取られた画像データ、ファクシミリで受信された画像データ等を記録紙に印刷する。ＬＡＮインターフェース２４は、ネットワーク（ＬＡＮ及びインターネット等の外部ネットワーク）を介したデータ通信を担う。
【００２９】
ＭＰＵ１１の第１の制御部１１ａは、この複合装置１における自動原稿送り装置３７を用いた原稿の読み取りを制御する。また、第２の制御部１１ｂは、その読み取りタイミングの補正のための動作を制御する。
【００３０】
まずは、図４のフローチャートを参照して第１の制御部１１ａの制御について説明する。図４に示すように、ステップＳ１で操作パネル１７等を介して原稿の読み取りの指示が与えられた場合、ステップＳ２で自動原稿送り装置３７の搬送機構４４による原稿の搬送が開始され、原稿が搬送路４２内に導入される。
【００３１】
ステップＳ３では、センサ４６により原稿の先端の搬送路４２上の基準位置４７の通過が検出されたか否かが判断される。センサ４６による原稿の先端の通過が検出された場合には、ステップＳ４にて、ＳＲＡＭ１９に記憶されているタイミング情報に基づいて特定されるカウント時間の計時が開示される。続く、ステップＳ５では、そのカウント時間分の計時が終了したか否かが判断され、計時が終了した場合には、ステップＳ６に進み、読取ユニット３１による原稿の画像の読み取りが実行される。原稿の読み取りが終了し、原稿が排出トレイ４３上に排出されるのに伴って、搬送機構４４が停止される。
【００３２】
ここで、上述のタイミング情報によって特定されるカウント時間は、原稿の先端が搬送路４２上の基準位置４７から読取位置４５に搬送されるのに要する時間と対応されている。このため、理想的な状態にある場合には、センサ４６による原稿の先端の基準位置４７の通過の検出時からカウント時間の経過後に読取ユニット３１による読み取りを開始することによって、原稿のちょうど先端から画像の読み取りが開始されることとなる。
【００３３】
しかし現実には、読取ユニット３１による読み取りタイミングは、種々の要因によりずれる場合がある。例えば、センサ４６の設置位置のずれ、及びそのセンサ４６の特性のバラツキなどの影響により、検出される原稿の先端の位置にバラツキが生じる場合があり、これが読み取りタイミングのずれの原因になる。
【００３４】
そこで、本実施形態では、複合装置１にテスト原稿（図５参照）を読み取らせることにより、読み取りタイミングを自動的に補正させるようにした。テスト原稿６１は、図５に示すように、テスト画像６２が付与されている。このテスト画像６２は、例えば、テスト原稿６１の搬送方向５４の先端側の部分が、先端６３から搬送方向５４の後端側に所定の幅６４で着色（例えば、黒色又は灰色に着色）された画像である。なお、図５に示す例では、先端６３の搬送方向５４に垂直な幅方向の全幅にわたってテスト画像６２が付与されているが、幅方向の一部の区間にのみテスト画像６２を付与してもよい。図６及び図７は、図５のテスト原稿６１から読み取られた画像データを示している。
【００３５】
次に、図８を参照してＭＰＵ１１の第２の制御部１１ｂの制御について説明する。図８に示すように、ステップＳ１１で操作パネル１７等を介して、読み取りタイミングの補正モードが呼び出された状態でテスト原稿６１の読み取りの指示が与えられた場合には、ステップＳ２２に進む。ステップＳ２２では、で自動原稿送り装置３７の搬送機構４４によるテスト原稿６１の搬送が開始され、テスト原稿６１が搬送路４２内に導入される。
【００３６】
ステップＳ１３では、センサ４６によりテスト原稿６１の先端６３の搬送路４２上の基準位置４７の通過が検出されたか否かが判断される。センサ４６によるテスト原稿６１の先端６３の通過が検出された場合には、ステップＳ１４にて、ＳＲＡＭ１９に記憶されているタイミング情報に基づいて特定されるカウント時間の計時が開示される。続く、ステップＳ１５では、そのカウント時間分の計時が終了したか否かが判断され、計時が終了した場合には、ステップＳ１６に進み、読取ユニット３１によるテスト原稿６１の画像の読み取りが実行される。テスト原稿６１の読み取りが終了し、テスト原稿６１が排出トレイ４３上に排出されるのに伴って、搬送機構４４が停止される。
【００３７】
続くステップＳ１７では、読取ユニット３１によってテスト原稿６１から読み取られた画像データ６６（図６、図７参照）に基づいて、その画像データ中におけるテスト画像６２のずれが検出される。この場合、テスト画像６２のずれには、図６及び図７に２種類が存在する。
【００３８】
図６に示す例は、読取ユニット３１による読み取り開始のタイミングが早すぎたものである。このため、画像データ６６中におけるテスト画像６２の副走査方向６７の起端部としての上端部６８が、画像データ６６の副走査方向６２の起端部としての上端部６９から副走査方向６７の終端側（図６の下側）にずれている。この場合は、テスト画像６２の上端部（起端部）６８と画像データ６６の上端部（起端部）６９との距離７０（ドット数）がずれ量として検出される。
【００３９】
また、図７に示す例は、読取ユニット３１による読み取り開始のタイミングが遅すぎたものである。このため、画像データ６６中におけるテスト画像６２の副走査方向６７の幅７１（ドット数）が想定された値（ドット数）よりも小さくなっている。この場合は、テスト画像６２の幅７１（ドット数）（Wa）の想定された値（ドット数）（Wb）に対する不足量（ドット数）（Wc：Wc＝Wb−Wa）がずれ量として検出される。なお、画像データ６６中におけるテスト画像６２の副走査方向６７の幅の想定された値（Wc）とは、テスト原稿６１のテスト画像６２の搬送方向５４の全幅６４が読取ユニット６３によって読み取れたときに、テスト画像６２の副走査方向６７の幅に対応している。この基準となる値（Wc）は、予めＳＲＡＭ１９等に登録しておいたものを読み出して利用してもよいし、あるいは、読み取りタイミングの補正時に操作パネル１７等を介して入力してもよい。
【００４０】
続くステップＳ１８では、ステップＳ１７で検出されたテスト画像６８のずれ量に基づいて読み取りタイミングが補正される。すなわち、テスト画像６２のずれのタイプが上述の図６のタイプである場合には、検出されたずれ量に応じた時間分だけ読取ユニット３１の読み取りタイミングが遅くなるように、ＳＲＡＭ１９に記憶されたタイミング情報が補正される（カウント時間が長くされる）。また、テスト画像６２のずれのタイプが上述の図７のタイプである場合には、検出されたずれ量に応じた時間分だけ読取ユニット３１の読み取りタイミングが早くなるように、ＳＲＡＭ１９に保存されたタイミング情報が補正される（カウント時間が短くされる）。
【００４１】
これによって、センサ４６による原稿の先端の基準位置４７の通過の検出時から原稿の先端が読取位置４５に到達するまでに要する時間と、ＳＲＡＭ１９に記憶されたタイミング情報によって決定されるカウント時間とが整合される。その結果、搬送機構４４によって搬送される原稿のちょうど先端から読取ユニット３１による読み取りが開始されるようになる。
【００４２】
なお、本実施形態では、原稿の先端から読み取りが開示されるように読み取りタイミングを設定したが、原稿の先端から搬送方向５４の上流側又は下流側にずれた位置から読み取りが開始されるように設定してもよい。
【００４３】
以上のように、本実施形態によれば、読取ユニット３１から与えられたテスト原稿６１の画像データ６６中におけるテスト画像６２の位置の想定された位置からの副走査方向６７に対するずれ量を検出する。そして、その検出したずれ量に基づいてＳＲＡＭ１９に記憶されたタイミング情報を補正する。それ故、読取ユニット３１による原稿の読み取りタイミングを正確に補正でき、原稿に対して正確に読み取り範囲を設定できる。例えば、原稿のちょうど先端から読取ユニット３１による読み取りが開始されるように正確に設定できる。
【００４４】
また、複合装置１の操作パネル１７等を介して読み取りタイミングの補正の指示を与えることにより、読み取りタイミングの補正が自動的に行われるため、補正を容易に行える。
【００４５】
また、原稿の先端の通過を検出するためのセンサ４６として、光電センサを用いているため、短い間隔で高速で搬送される原稿についても的確に原稿の先端の検出が行える。
【００４６】
また、センサ４６として、小型化に有利な反射型の光電センサが用いられているため、複合装置１の小型化に有利である。
【００４７】
なお、センサ４６については他の構成を採用することもできる。例えば、透過型の光電センサを用いてもよし、あるいは、フィラー（レバー）式のセンサを用いてもよい。
【図面の簡単な説明】
【００４８】
【図１】本発明の一実施形態に係る画像読取装置としてのファクシミリ複合装置のブロック図である。
【図２】図１のファクシミリ複合装置の自動原稿送り装置及び読取ユニットの周辺の構成を示す断面図である。
【図３】原稿の先端の通過を検出するセンサ及びその周辺の構成を模式的に示す図である。
【図４】図１のファクシミリ複合装置のＭＰＵの第１の制御部の制御を示すフローチャートである。
【図５】テスト原稿の平面図である。
【図６】図５のテスト原稿から読み取られた画像データを示す図である。
【図７】図５のテスト原稿から読み取られた画像データを示す図である。
【図８】図１のファクシミリ複合装置のＭＰＵの第２の制御部の制御を示すフローチャートである。
【符号の説明】
【００４９】
１  ファクシミリ複合装置
１１  ＭＰＵ
１１ａ  第１の制御部
１１ｂ  第２の制御部
３１  読取ユニット
４２  搬送路
４４  搬送機構
４５  読取位置
４６  センサ
４７  基準位置
６１  テスト原稿
６２  テスト画像
６６  画像データ
【図１】
2009111577.tif 000003
【図２】
2009111577.tif 000004
【図３】
2009111577.tif 000005
【図４】
2009111577.tif 000006
【図５】
2009111577.tif 000007
【図６】
2009111577.tif 000008
【図７】
2009111577.tif 000009
【図８】
2009111577.tif 000010